(57)【要約】【課題】  空調機からのドレンを外部に排出するためのドレンホースを空調機のドレンパンにおけるドレン排出口に抜き取り不能に簡単且つ確実に接続することができるドレンホースの接続構造を提供する。【解決手段】  ドレン排出口１の外周面に雄ネジ３を設けると共にこの雄ネジ３の終端部に傾斜頂面4aと係止端面4bを有する係止突起４を突設する一方、ドレンホース２の一端開口部に上記雄ネジ３に螺合する雌ネジ５とこの雌ネジ５の先端部に上記係止突起４に嵌合、係止可能な係止凹部６を設け、雄ネジ３に雌ネジ５を螺合させながらドレンホース２の一端開口部をドレン排出口１に被嵌させて係止凹部６が係止突起４に達したのち、該係止突起４上を摺動させながら乗り越えさせて係止凹部６を係止突起４に係止させるように構成している。【選択図】    図１
2008002632.tif 000002
【特許請求の範囲】
【請求項１】
空調機におけるドレンパンのドレン排出口とドレンホースとの接続構造であって、上記ドレン排出口の外周面に雄ネジと係止突起とを設けている一方、上記ドレンホースの一端開口部に上記雄ネジに螺合する雌ネジと上記係止突起に係止する係止凹部を設けていることを特徴とするドレン排出口とドレンホースとの接続構造。
【請求項２】
係止突起を雄ネジの基端部に設けている一方、係止凹部を雌ネジの先端部に設けていることを特徴とする請求項１に記載のドレン排出口とドレンホースとの接続構造。
【請求項３】
係止突起を雄ネジ近傍部におけるドレン排出口の基端部外周面に設けている一方、係止凹部を雌ネジの先端近傍部におけるドレンホースの先端開口部に設けていることを特徴とする請求項１に記載のドレン排出口とドレンホースとの接続構造。
【請求項４】
係止突起は雄ネジに螺合する雌ネジの螺進方向に向かってドレン排出口の外周面から徐々に起立した傾斜頂面とこの傾斜頂面の先端からドレン排出口の外周面に連続した略垂直な係止端面とを有する三角形状の突起に形成されている一方、係止凹部はこの係止突起を受け入れ可能な大きさを有し、且つ、係止突起の係止端面に係止する係止端面を設けていることを特徴とする請求項１、請求項２、請求項３に記載のドレン排出口とドレンホースとの接続構造。
【請求項５】
ドレン排出口の外周面に設けている雄ネジとドレンホースの開口端部に設けている雌ネジとはのこ歯ネジに形成されていると共に、これらの雄ネジと雌ネジとにおける引き抜き方向に対して互いに接触するネジ面を該のこ歯ネジにおける垂直なネジ面によって形成してあり、さらに、雄ネジの少なくとも一部をドレン排出口の軸方向に切除して不連続な雄ネジに形成している特徴とする請求項１ないし請求項４のいずれか１項に記載のドレン排出口とドレンホースとの接続構造。
【発明の詳細な説明】
【技術分野】
【０００１】
本発明は、冷房装置などの空調機のドレンパンに突設しているドレン排出口と、このドレン排出口から流出するドレン水を外部に排出させるためのドレンホースとの接続構造に関するものである。
【背景技術】
【０００２】
空調機においては、発生したドレン水をドレンパンに収容し、このドレンパンに突設している短管形状のドレン排出口から該排出口に接続した可撓性を有する合成樹脂製のドレンホースを通じてドレン水を外部に排出するように構成しているが、ドレン排出口とドレンホースとの接続構造としては、例えば、特許文献１や特許文献２に記載されているように、ドレン排出口の外周面を基端から先端に向かうに従って徐々に小径となるテーパ面に形成している一方、ドレンホースの開口端部の内周面に短筒形状の弾性シール材を装着し、この弾性シール材に上記ドレンパンのドレン排出口を挿嵌させることによって弾性シール材をドレン排出口の外周面に水密状態で密着させた状態でドレンホースの開口端部をドレン排出口に接続してなる構造のものが知られている。
【特許文献１】特開２０００−２３４７５６号公報
【特許文献２】特開２００２−８９７６０号公報
【発明の開示】
【発明が解決しようとする課題】
【０００３】
しかしながら、上記ドレン排出口とドレンホースの接続部との接続構造においては、ドレンホースの開口端部とドレンパンから突設しているドレン排出口とは、一体に連結、固定しておらず、単に、ドレンホースの開口端部内に装着しているシール材をドレンパンのドレン排出口の外周面に弾性的に圧着させてそのシール材の弾性力によりドレン排出口に対するドレンホースの接続を保持してなるものであるから、ドレンホースに引き抜き方向の力が作用すると該ドレンホースがドレンパンのドレン排出口から簡単に抜け出してしまう虞れがある。特に、ドレンパンのドレン排出口は製造上、外周面が先端に向かうに従って小径となるテーパ面に形成されているため、ドレンホースの開口端部が地震等の振動力によりシール材の内周面とドレン排出口の外周面との圧接力に抗してそのテーパ面上を先端側に移動し、抜け出してしまう虞れがあった。
【０００４】
また、ドレン排出口にドレンホースの一端開口部を接続する作業を行う際に、該ドレンホースの開口端部をドレン排出口に差し込んでいくと、その内周面に装着している上記シール材がドレン排出口の徐々に大径となる外周面によって圧縮されて差し込み抵抗が増大するので、十分な差し込み深さに達していないにもかかわらず、接続されたものと誤認して接続作業を止める虞れがあり、安定した確実な接続構造を得ることができないといった問題点がある。
【０００５】
このような問題点を解消するには、ドレンホースの開口端部に短筒形状の硬質合成樹脂製接続口部材を接着することにより装着し、この接続口部材をドレンホースの開口端部内に挿嵌しているドレンパンのドレン排出口に被せてこれらの接続口部材とドレン排出口とを互いに係止する連結手段によって引き抜き不能に連結するように構成すればよいが、ドレンホースが焼却時にダイオキシンが発生する虞れのないＥＶＡ樹脂やポリエチレン、ポリプロピレン樹脂などのオレフィン系樹脂よりなる場合には、オレフィン系樹脂は接着性が悪いために接続口部材をドレンホースに一体に接着することができないといった問題点がある。
【０００６】
本発明は上記のような問題点に鑑みてなされたもので、その目的とするところは、接続口部材などを用いることなく、ドレンパンのドレン排出口とドレンホースの開口端部とを簡単且つ正確に接続させることができるドレン排出口とドレンホースとの接続構造を提供するにある。
【課題を解決するための手段】
【０００７】
上記目的を達成するために、本発明のドレン排出口とドレンホースとの接続構造は、請求項１に記載したように、ドレン排出口の外周面に雄ネジと係止突起とを設けている一方、上記ドレンホースの一端開口部に上記雄ネジに螺合する雌ネジと上記係止突起に係止する係止凹部を設けてなる構造を有している。
【０００８】
このように構成したドレン排出口とドレンホースの接続構造において、請求項２に係る発明は、上記係止突起を雄ネジの基端部に設けている一方、この係止突起に係止する上記係止凹部を雌ネジの先端部に設けていることを特徴とし、請求項３に係る発明においては、上記係止突起を雄ネジ近傍部におけるドレン排出口の基端部外周面に設けている一方、この係止突起に係止する係止凹部を雌ネジの先端近傍部におけるドレンホースの先端開口部に設けていることを特徴とする。
【０００９】
請求項４に係る発明は、ドレン排出口から突出した上記係止突起の突出頂面を、雄ネジに螺合する雌ネジの螺進方向に向かってドレン排出口の外周面から徐々に起立した傾斜頂面に形成していると共にこの傾斜頂面の先端からドレン排出口の外周面に連続した略垂直な面を係止端面に形成して、全体の形状を三角形状の突起に形成している一方、ドレンホースに設けている上記係止凹部としては、この係止突起を受け入れ可能な大きさを有し、且つ、係止突起の係止端面に係止する係止端面を設けた形状に形成していることを特徴とする。
【００１０】
なお、上記ドレン排出口の外周面に設けている雄ネジとドレンホースの開口端部に設けている雌ネジとを請求項５に記載したようにのこ歯ネジに形成していると共に、これらの雄ネジと雌ネジとにおける引き抜き方向に対して互いに接触するネジ面を該のこ歯ネジにおける垂直なネジ面によって形成してあり、さらに、雄ネジの少なくとも一部をドレン排出口の軸方向に切除して不連続な雄ネジに形成している。
【発明の効果】
【００１１】
請求項１に係る発明によれば、空調機におけるドレンパンのドレン排出口とドレンホースとの接続構造において、上記ドレン排出口の外周面に雄ネジと係止突起とを設けている一方、上記ドレンホースの一端開口部に上記雄ネジに螺合する雌ネジと上記係止突起に係止する係止凹部を設けているので、ドレン排出口の外周面に設けている雄ネジにドレンホースの一端開口部に設けている雌ネジを螺合させることによってドレン排出口にドレンホースを簡単に接続させることができるのは勿論、ドレンホースを螺進させていくと、このドレンホースに設けている係止凹部がドレン排出口の外周面に突設している係止突起の位置に達してこの係止突起が係止凹部に嵌入、係止した時に発生する音や、或いは、このような音が発生しなくても係止した際の抵抗力の変化によりドレンホースが所定の接続位置に到達したことを確認することができ、従って、ドレンホースの一端開口部をドレン排出口に対して所定の差し込み深さとなるまで正確に接続させることができると共に振動や引き抜き力が発生しても引き抜き方向に移動することなく抜け止め状態に強固に接続した接続構造を提供することができる。
【００１２】
請求項２に係る発明によれば、上記係止突起をドレン排出口の外周面に刻設した雄ネジの基端部に突設している一方、係止凹部をドレンホースの一端開口部に形成している雌ネジの先端部に設けているので、ドレンホースの開口端がドレン排出口の基端部に達するまで該ドレンホースを円滑に螺進させることができてドレン排出口に対するドレンホースの接続作業が容易に且つ能率よく行えると共にその接続作業も確実且つ強固に行うことができる。
【００１３】
また、請求項３に係る発明においては、係止突起を雄ネジ近傍部におけるドレン排出口の基端部外周面に設けている一方、係止凹部を雌ネジの先端近傍部におけるドレンホースの先端開口部に設けているので、上記請求項２と同様に、ドレンホースをドレン排出口の基端に達した十分な差し込み深さとなるように接続させることができると共に引き抜き等が生じる虞れのない強固な接続状態を維持しておくことができる。
【００１４】
さらに、上記係止突起は、請求項４に記載したように、雄ネジに螺合する雌ネジの螺進方向に向かってドレン排出口の外周面から徐々に起立した傾斜頂面とこの傾斜頂面の先端からドレン排出口の外周面に連続した略垂直な係止端面とを有する三角形状の突起に形成されている一方、係止凹部はこの係止突起を受け入れ可能な大きさを有し、且つ、係止突起の係止端面に係止する係止端面を有しているので、ドレン排出口にドレンホースを雄ネジと雌ネジとの螺合により接続させながら、このドレンホースに設けている上記係止凹部がドレン排出口の外周面に突設している係止突起に達すると、この係止突起の傾斜頂面上に係止凹部を設けているドレンホースの開口端部の内周面部分が摺接しながら乗り上げて該係止突起に係止凹部を被せるようにして簡単に係合させることができ、係止突起の垂直な係止端面に係止凹部の端面が係止した状態を維持してドレンホースがドレン排出口からの離脱方向に妄動するのを確実に防止することができる。
【００１５】
さらにまた、請求項５に係る発明によれば、ドレン排出口の外周面に設けている雄ネジとドレンホースの開口端部に設けている雌ネジとはのこ歯ネジに形成されていると共に、これらの雄ネジと雌ネジとにおける引き抜き方向に対して互いに接触するネジ面を該のこ歯ネジにおける垂直なネジ面によって形成しているので、ドレンホースの引き抜き方向に対する抵抗力が極めて大きくなり、安定した接続状態を維持しておくことができる。なお、ドレン排出口に設けている上記雄ネジの少なくとも一部をドレン排出口の軸方向に切除して不連続な雄ネジとしておいてもよく、このような構成によれば、雄ネジを設けたドレン排出口を容易に一体成形することができる。
【発明を実施するための最良の形態】
【００１６】
次に、本発明の具体的な実施の形態を図面について説明すると、図１は空調機内に設置されているドレンパン10に突設した短管形状のドレン排出口１とこのドレン排出口１に接続するためのドレンホース２との分解斜視図、図２はその一部を断面した側面図であって、ドレン排出口１はその基部を除く外周面にのこ歯ネジよりなる雄ネジ３を設けていると共にこの雄ネジ３の終端部、即ち、ドレン排出口１の基端側の端部におけるネジ山の頂面から谷底面に至る間の側面に係止突起４を突設している一方、ドレンホース２の一端開口部2aを長さの短い円筒形状に形成して、この一端開口部2aの基部に上記雄ネジ３と同一断面形状であってこの雄ネジ３に螺合する雌ネジ５を形成していると共に、該雌ネジ５の先端部、即ち、上記一端開口部2aの開口端側の端部における谷底面から立ち上がった側壁面に上記ドレン排出口１の雄ネジ３の終端部側面に突設している係止突起４に係止する係止凹部６を設けている。
【００１７】
上記ドレン排出口１の外周面に設けている雄ネジ３は、ドレン排出口１の先端側の始端部から基端側の終端部に向かって連続した状態で形成しておいてもよいが、図１〜３に示すように、その少なくとも一部、例えば、ドレン排出口１の両側周部側のネジ部をドレン１の軸方向に切除して不連続な雄ネジに形成してあり、このように、不連続な雄ネジ３であれば、ドレン排出口１を樹脂成形する際に、雄ネジ３も同時に一体成形することができる。なお、雄ネジ３はドレン排出口１の上周部側のみに、或いは下周部側のみに設けておいてもよく、このように雄ネジ３を不連続に形成しておいても、上記ドレンホース２の一端開口部2aに設けている雌ネジ５を何ら支障なく螺合させることができる。
【００１８】
この雄ネジ３の外径は、雄ネジ３を設けることなく外周面を平滑な面に形成しているドレン排出口１の基部1aの外径に等しい寸法に形成されてあり、雄ネジ３の終端はこの基部1aの先端に連らなっている。
【００１９】
上記ドレンホース２は、ポリエチレン、ポリプロピレン、ＥＶＡ樹脂などのオレフィン系樹脂からなり、ホース全長に亘ってその管壁を一定の肉厚に形成していると共に、上記一端開口部2aと、別なドレンホースを接続可能に形成している他端開口部（図示せず）との間の管壁は、内周側から管軸に直交する方向に膨出形成した同大、同形の多数の断面Ｖ字状の環状突条2dをホースの長さ方向に小間隔毎に設けてなり、これらの環状突条2dにより、座屈などが生じることなく断面円形状を保持したままの良好な屈曲性を発揮するように形成している。
【００２０】
このドレンホース２において、上記ドレン排出口１に接続するための一端開口部2aの基部に形成している上記雌ネジ５の螺旋状内外底面5a、5bの径を該一端開口部2aの先部である雌ネジを設けていない短筒状周壁部2bの内外周面の径にそれぞれ等しくなるように形成していると共に、この短筒状周壁部2bの先端部に管軸に対して直角方向に突出した一定高さを有する円環形状のフランジ部2cを形成してあり、このフランジ部2cの内周面によって形成された断面コ字状の周溝内にリング状の弾性シール材７を嵌め込んでいる。
【００２１】
さらに、ドレンホース２の一端開口部2aにおける上記短筒状周壁部2bの内径を上記ドレン排出口１の外径と同径、又は僅かに大径に形成してあり、また、ドレンホース２の本体部分を形成している上記多数の環状突条2dの内外径と上記雌ネジ５の内外径とをそれぞれ同径に形成している。このドレンホース２はその外周面を略全長に亘って可撓性を有する円筒形状の発泡合成樹脂製断熱筒８によって被覆して断熱ホースに構成されている。なお、発泡合成樹脂製断熱筒８としては、発泡ポリエチレン樹脂、または発泡ポリプロピレンなどのオレフィン系発泡樹脂、或いは発泡ウレタンゴム等の発泡樹脂からなり、その内径はドレンホース２の上記環状突条2dの外径に略等しく形成されている。
【００２２】
上記ドレン排出口１の先部に設けた雄ネジ３の終端部における側面に突設している上記係止突起４は、図３に示すように、この雄ネジ３に螺合させるドレンホース２側の雌ネジ５の螺進方向に向かってネジ山の側面からネジ山の谷底側に向かって徐々に起立した傾斜頂面4aを有する平面三角形状の突起に形成されてあり、この傾斜頂面4aの先端とネジ山の側面間の端面を略垂直な係止端面4bに形成している。一方、ドレンホース２に雌ネジ５の先端部における側壁面に設けた上記係止凹部６は、係止突起４に被せることができる大きさを有する凹部に形成されている。
【００２３】
具体的には、雌メジ５の側壁における係止突起４と対向する部分を、係止突起４の上下幅よりもやや広い上下幅でもって該側壁内面から外面に向かって雌メジ５の螺進方向に徐々に深くなるように膨出することによって係止突起４を受け入れ可能な凹部に形成されてあり、この凹部の最深部から側壁面に向かって略直角に形成された先端の内面を上記係止突起４の係止端面4bに係止する係止端面6aに形成している。なお、この係止凹部６はその膨出した天端面を係止突起４の傾斜頂面4aに沿う傾斜面に形成しているが、全長に亘って同じ深さに形成しておいてもよい。また、側壁部を内側から外側に向かって膨出させることによって係止凹部６を形成することなく、側壁部の内面側に係止突起４が嵌入可能な凹部を掘削状態に刻設することによって形成しておいてもよい。
【００２４】
上記のように構成したドレンホース２をドレン排出口１に接続するには、その一端開口部2aの先部を形成している短筒状周壁部2bの開口端をドレン排出口１に対向させてこの開口端部内にドレン排出口１を差し込むように該短筒状周壁部2bをドレン排出口１に被せて行き、この短筒状周壁部2bによってドレン排出口１の雄ネジ３を設けている先部を被覆した状態にまで差し込むと、ドレンホース２の一端開口部2aの基部側に設けている雌ネジ５の先端がドレン排出口１の先部外周面に設けている雄ネジ３の先端に達する。
【００２５】
この状態からドレンホース２を周方向に回して該雌ネジ５を雄ネジ３に螺進させると、ドレンホース２の一端開口部2aがドレン排出口１に基端部に向かって進行し、短筒状周壁部2bがドレン排出口１の基端部を被覆してその先端フランジ部2c内の弾性シール材７を該ドレン排出口１の基部外周面に密接させると共に、雌ネジ５の先端部が雄ネジ３の終端部に達すると、該雌ネジ５の先端部側壁面に設けている係止凹部６の先端側の雌メジ側壁部が係止突起４の傾斜頂面4a上に乗り上げてこの傾斜頂面4a上を摺動しながら螺進方向に移動する。
【００２６】
そして、係止凹部６の先端側の雌メジ側壁部がこの係止突起４を乗り越えると、該側壁部と係止突起４の傾斜頂面4aとの摺接力が解かれて係止凹部６を設けている側壁面が元の状態に弾性的に復元して雄ネジ３の側面に接した状態とると共に、図４、図５に示すように係止凹部６に係止突起４が嵌入、係止してドレン排出口１にドレンホース２の一端開口部2aが接続した状態となる。
【００２７】
この接続作業時において、上述したように、雌ネジ５の先端部側壁面に設けている係止凹部６の先端部が係止突起４の傾斜頂面4a上を乗り越えて該係止凹部６の先端部と係止突起４の傾斜頂面4aとの摺接が解かれ、係止凹部６が係止突起４を設けている雄ネジ３の側面上に当接して当接音が発生した場合には、その音によってドレンホース２がドレン排出口１に対して所定の接続位置に到達したことを確認することができ、当接音が発生しなくても、係止凹部６の先端部が係止突起４の傾斜頂面4aを乗り越えると、係止凹部６の先端部と係止突起４の傾斜頂面4aとの摺接力（摩擦力）が解かれて、ドレンホース２を螺進方向に回動させようとする際の抵抗力がなくなり、これを手元で感知してドレンホース２がドレン排出口１に確実に接続したことを確認することができる。
【００２８】
また、ドレンホース２に引き抜き方向の力が作用しても、のこ歯ネジよりなる雄ネジ３における垂直な側面に雌ネジ５の垂直な側壁面が全面的に係止して引き抜かれることはなく、さらに、雌ネジ５が雄ネジ３に対して螺退方向に、即ち、互いの螺合を解く方向に移動しようとしても係止凹部６の係止端面6aが係止突起４の係止端面4bに係止しているので移動する虞れもない。なお、係止突起４を雄ネジ３における傾斜側面側に設けると共に係止凹部６も雌ネジ５における傾斜側壁面に設けているが、係止突起４を雄ネジ３におけるドレン排出口１の基端側に面した垂直面に設けておくと共に係止凹部６も雌ネジ５における垂直な側壁面に設けておいてもよく、このように構成しておけば、雄ネジ３と係止突起４との一体成形や雌メジ５と係止凹部６との一体成形が容易に行うことができる。
【００２９】
また、以上の実施の形態においては、係止突起４をドレン排出口１の雄ネジ３の終端部におけるネジ山の側面に設ける一方、係止凹部６をドレンホース２の雌ネジ５の側壁面に設けているが、係止突起４を雄ネジ３の谷底面に設ける一方、係止凹部６を雌ネジ５の頂面に設けておいてもよい。
【００３０】
図６〜図９はその実施の形態を示すもので、ドレン排出口１の外周面に設けているのこ歯ネジからなる雄ネジ３の終端部、即ち、ドレン排出口１の基端側に面した端部におけるネジ山の谷底面に係止突起４を突設している一方、ドレンホース２の一端開口部2aに形成している雌ネジ５の先端部、即ち、上記一端開口部2aの開口端側に面した端部における頂面に上記係止突起４に係止する係止凹部６を設けている。
【００３１】
上記係止突起４は、図７に示すように雄ネジ３に螺合させるドレンホース２側の雌ネジ５の螺進方向に向かってネジ山の谷底面から徐々に起立した傾斜頂面4aを有する正面三角形状の突起に形成されてあり、この傾斜頂面4aの先端と谷底面間の端面を略垂直な係止端面4bに形成している。一方、上記係止凹部６は、雄ネジ３の谷底面に接する雌メジ５の頂面に上記係止突起４の幅よりもやや広い幅でもって該頂面の外面から内面に向かって雌メジ５の螺進方向に徐々に深くなるように膨出することによって係止突起４を受け入れ可能な凹部に形成されてあり、この凹部の最深部から頂面に向かって略垂直に形成された先端面を上記係止突起４の係止端面4bに係止する係止端面6aに形成している。
【００３２】
なお、この係止凹部６は、その膨出した天端面を係止突起４の傾斜頂面4aに沿う傾斜面に形成しているが、全長に亘って同じ深さに形成しておいてもよい。また、雌メジ５の頂面を膨出させることによって形成することなく、該頂面の外面に係止突起４が嵌入可能な深さの凹部を掘削状態に刻設することによって係止凹部６を形成しておいてもよい。
【００３３】
なお、この実施の形態においては、ドレン排出口１の先部に雄ネジ３を設けることなく基部1aに該雄ネジ３を設けて先部を雄ネジ３の谷底から先端に向かって徐々に小径となった外周面が平滑な口部1bに形成している一方、ドレンホース２の一端開口部2aは、その基部に雌ネジ５を設けることなく先部に雌ネジ５を設けて基部を上記ドレン排出口１の口部1bを内嵌させる短筒状周壁部2bに形成していると共に、基部と先部との間の中間部に管軸に対して直角方向に突出した一定高さを有する円環形状のフランジ部2cを形成し、このフランジ部2cの内周面によって形成された断面コ字状の周溝内に上記ドレン排出口１の口部基端外周面に密接するリング状の弾性シール材７を嵌め込んでいる。
【００３４】
さらに、ドレン排出口１における基端部の外径は雄ネジ３の外径に等しく、この基端部外周面にドレンホース２の一端開口部2aにおける開口端部を被嵌させるように形成している。なお、雌ネジ５の頂面とは、雄ネジ３の谷底面に接する該雌ネジ５の小径部をいう。その他の構造については上記図１〜図５で示した実施の形態と同様であるので同一部分には同一符号を付して詳細な説明を省略する。
【００３５】
上記のように構成したドレンホース２をドレン排出口１に接続するには、その一端開口部2aの開口端をドレン排出口１に対向させてこの開口端部内にドレン排出口１の先端口部1bを差し込ませながら雌ネジ５を該口部1b上に被せて行き、雌ネジ５の先端をドレン排出口１の基部外周面に設けている雄ネジ３の先端に当接させる。
【００３６】
この状態からドレンホース２を周方向に回して該雌ネジ５を雄ネジ３に螺進させると、ドレンホース２の一端開口部2aがドレン排出口１に基端部に向かって進行し、雌ネジ５の先端部頂面に設けている係止凹部６が雄ネジ３の基端部谷底面に突設している係止突起４に達する。この際、係止突起４を雄ネジ３の谷底面に設けているので、雌ネジ５の先端がこの係止突起４に達するまでドレンホース２を円滑に螺進させながらドレン排出口１に差し込んでいくことができる。
【００３７】
係止凹部６を設けている雌ネジ５の先端部が係止突起４の傾斜頂面4aの下傾端に達すると、該先端部が傾斜頂面4a上に乗り上げて傾斜頂面4aを摺動しながら螺進するが、この際、傾斜頂面4aと雌ネジ５の先端部との摺接力がドレンホース２を螺進方向に回動させようとする際の抵抗力となり、ドレンホース２の一端開口部2aがドレン排出口１の所定の接続位置まで達したことを確認することができる。この状態から雌ネジ５をさらに螺進方向に回動して係止凹部６の先端部が係止突起４の傾斜頂面4aを乗り越えると、傾斜頂面4aによって持ち上げられていた該雌ネジ５の先端部が雄ネジ３の谷底面に摺接する元の状態に弾性的に復元して係止凹部６に係止突起４が嵌入、係止し、図８、図９に示すようにドレン排出口１にドレンホース２の一端開口部2aが接続した状態となる。
【００３８】
この際、係止凹部６の先端部が係止突起４の傾斜頂面4aを乗り越えると、係止凹部６の先端部と係止突起４の傾斜頂面4aとの摺接力（摩擦力）が解かれて、ドレンホース２を螺進方向に回動させようとする際の抵抗力がなくなり、これを手元で感知してドレンホース２がドレン排出口１に確実に接続したことを確認することができる。なお、この実施の形態においても、上記図１〜図５で示した構造と同じく、ドレン排出口１の先部外周面に雄ネジ３を設けると共にドレンホース２の一端開口部2aの基部側に雌ネジ５を設けた構造しておいてもよい。
【００３９】
次に、以上のいずれの実施の形態においても、ネジ部に係止突起４と係止凹部６とを設けているが、ネジを設けていない部分に形成しておいてもよい。図10〜図13はその実施の形態を示すもので、ドレン排出口１の外周面に設けているのこ歯ネジからなる雄ネジ３の終端近傍部、即ち、ドレン排出口１の基端側に面した雄ネジ３の端部に近接したドレン排出口１の外周面に係止突起４を突設している一方、ドレンホース２の一端開口部2aに形成している雌ネジ５の先端近傍部、即ち、上記一端開口部2aの開口端側に面した雌ネジ５の端部近傍部のドレンホース２における先端開口部に係止凹部６を設けている。
【００４０】
なお、この実施の形態においては、上記図６〜図９で示した実施の形態と同様に、ドレン排出口１の先部に雄ネジ３を設けることなく基部1aに該雄ネジ３を設けて先部を雄ネジ３の谷底から先端に向かって徐々に小径となった外周面が平滑な口部1bに形成している一方、ドレンホース２の一端開口部2aは、その基部に雌ネジ５を設けることなく先部に雌ネジ５を設けて基部を上記ドレン排出口１の口部1bを内嵌させる短筒状周壁部2bに形成していると共に、基部と先部との間の中間部に管軸に対して直角方向に突出した一定高さを有する円環形状のフランジ部2cを形成し、のフランジ部2cの内周面によって形成された断面コ字状の周溝内に上記ドレン排出口１の口部基端外周面に密接するリング状の弾性シール材７を嵌め込んでいる。
【００４１】
そして、一端開口部2aにおける雌ネジ５が設けられていない先端開口部に上記係止凹部６を設けている。この先端開口部の内径は上記ドレン排出口１の基端部の外径を被嵌し得る径に形成されてあり、該先端開口部の一部を内周面から外周面に向かって上記係止突起４が嵌合可能な係止凹部６を膨出、形成しているものである。その他の構造については上述した両実施の形態と同様であるので同一部分には同一符号を付して詳細な説明を省略する。
【００４２】
このように構成したので、ドレンホース２をドレン排出口１に接続するには、その一端開口部2aの開口端をドレン排出口１に対向させてこの開口端部内にドレン排出口１の先端口部1bを差し込ませながら雌ネジ５を該口部1b上に被せて行き、雌ネジ５の先端をドレン排出口１の基部外周面に設けている雄ネジ３の先端に当接させる。
【００４３】
この状態からドレンホース２を周方向に回して該雌ネジ５を雄ネジ３に螺進させると、ドレンホース２の一端開口部2aがドレン排出口１に基端部に向かって進行し、雌ネジ５の先端が雄ネジ３の基端近傍部に達した時にドレンホース２の先端開口部に設けている係止凹部６における螺進方向に先行する先端部がドレン排出口１の基端部外周面に突設している係止突起４に達する。
【００４４】
なお、係止突起４は、雄ネジ３に螺合させるドレンホース２側の雌ネジ５の螺進方向に向かってドレン排出口１の基端部外周面から徐々に起立した傾斜頂面4aを有する正面三角形状の突起に形成されてあり、上記実施の形態と同様にこの傾斜頂面4aの先端とネジ山の頂面間の端面を係止凹部６の係止端面6aに係止する略垂直な係止面4bに形成している。
【００４５】
上記係止凹部６の先端部が係止突起４の傾斜頂面4aの下傾端に達すると、上述したように該端部が傾斜頂面4a上に乗り上げて傾斜頂面4aを摺動しながら螺進するが、この際、傾斜頂面4aと雌ネジ５の先端部との摺接力がドレンホース２を螺進方向に回動させようとする際の抵抗力となり、ドレンホース２の一端開口部2aがドレン排出口１の所定の接続位置まで達したことを確認することができる。この状態から雌ネジ５をさらに螺進方向に回動して係止凹部６の先端部が係止突起４の傾斜頂面4aを乗り越えると、傾斜頂面4aによって持ち上げられていた該雌ネジ５の先端部が雄ネジ３の谷底面に摺接する元の状態に弾性的に復元して係止凹部６に係止突起４が嵌入、係止し、図13に示すようにドレン排出口１にドレンホース２の一端開口部2aが接続した状態となる。
【００４６】
この際、係止凹部６の先端部が係止突起４の傾斜頂面4aを乗り越えると、係止凹部６の先端部と係止突起４の傾斜頂面4aとの摺接力（摩擦力）が解かれて、ドレンホース２を螺進方向に回動させようとする際の抵抗力がなくなり、これを手元で感知してドレンホース２がドレン排出口１に確実に接続したことを確認することができる。なお、この実施の形態においても、上記図１〜図５で示した構造と同じく、ドレン排出口１の先部外周面に雄ネジ３を設けると共にドレンホース２の一端開口部2aの基部側に雌ネジ５を設けた構造としておいてもよい。
【００４７】
また、係止凹部６に代えて、図14、図15に示すように、上記係止突起４が嵌入可能な大きさの係止孔部6Aをドレンホース２の開口端部に該開口端部の内外周面間に貫通した状態に設けておいてもよい。さらに、雄ネジ３や雌ネジ５はのこ歯ネジの形状に形成しているが、台形ネジであってもよい。その他の構造については上記実施の形態と同様であるので、同一部分には同一符号を付して詳細な説明を省略する。
【図面の簡単な説明】
【００４８】
【図１】ドレン排出口とドレンホースとの接続構造を示す分解斜視図。
【図２】その一部を断面した側面図。
【図３】係止突起と係止凹部を設けた雌雄ネジ部分の斜視図。
【図４】接続した状態の縦断側面図。
【図５】係止突起と係止凹部とが係止した状態の斜視図。
【図６】本発明の別な実施の形態を示すドレンホースの縦断側面図。
【図７】係止突起と係止凹部を設けた雌雄ネジ部分の一部切欠斜視図。
【図８】接続した状態の縦断側面図。
【図９】係止突起と係止凹部とが係止た状態の一部切欠斜視図。
【図１０】本発明のさらに別な実施の形態を示す分解斜視図。
【図１１】その縦断側面図。
【図１２】係止突起と係止凹部とが係止する直前を示す一部の斜視図。
【図１３】接続した状態の縦断側面図。
【図１４】係止凹部に代えて係止孔部を設けた接続構造の分解斜視図。
【図１５】その係止孔部と係止突起との係止状態を示す縦断正面図。
【符号の説明】
【００４９】
１  ドレン排出口
２  ドレンホース
３  雄ネジ
４  係止突起
4a  傾斜頂面
５  雌ネジ
６  係止凹部
【図１】
2008002632.tif 000003
【図２】
2008002632.tif 000004
【図３】
2008002632.tif 000005
【図４】
2008002632.tif 000006
【図５】
2008002632.tif 000007
【図６】
2008002632.tif 000008
【図７】
2008002632.tif 000009
【図８】
2008002632.tif 000010
【図９】
2008002632.tif 000011
【図１０】
2008002632.tif 000012
【図１１】
2008002632.tif 000013
【図１２】
2008002632.tif 000014
【図１３】
2008002632.tif 000015
【図１４】
2008002632.tif 000016
【図１５】
2008002632.tif 000017